(57)【特許請求の範囲】
【請求項１】
取付枠に対して開閉可能に取り付ける扉の下部に下側蝶番を取り付ける一方、該扉の上部に上側蝶番を取り付ける蝶番付き扉ユニットであって、
前記下側蝶番は、
取付枠に固定する枠側ヒンジプレートと、前記枠側ヒンジプレートに垂直に取り付けた枠側保持軸と、扉に固定する扉側ヒンジプレートと、前記扉側ヒンジプレートの上面に固定した収納ケースと、前記収納ケースに収納し、扉の幅方向に長い長方形の孔を貫設すると共に、扉の幅方向への突出片に設けた雌ねじに螺合する前後調整ねじをもって扉の厚さ方向に移動せしめる前後スライダと、前記収納ケースに収納し、扉の厚さ方向に長い長方形の孔を貫設すると共に、側部に設けた雌ねじに螺合する左右調整ねじをもって扉の幅方向に移動せしめる左右スライダと、前記枠側保持軸に被せると共に、前記扉側ヒンジプレートの孔及び前後スライダの孔、左右スライダの孔、収納ケースの頂壁の孔に、これらが重なった状態において下側から嵌挿し、更に中心部に雌ねじを設けると共に、上端部を前記収納ケースに固定した筒状体と、前記筒状体の雌ねじに螺合した上下調整用のピボット軸受とからなり、
一方、前記上側蝶番は、
取付枠に固定する枠側ヒンジプレートと、扉に固定する扉側ヒンジプレートと、前記扉側ヒンジプレートの下面に逆さにして固定した収納ケースと、前記収納ケースに収納し、扉の幅方向に長い長方形の孔を貫設すると共に、扉の幅方向への突出片に設けた雌ねじに螺合する前後調整ねじをもって扉の厚さ方向に移動せしめる前後スライダと、前記収納ケースに収納し、扉の厚さ方向に長い長方形の孔を貫設すると共に、側部に設けた雌ねじに螺合する左右調整ねじをもって扉の幅方向に移動せしめる左右スライダと、前記扉側ヒンジプレートの孔及び前後スライダの孔、左右スライダの孔、収納ケースの頂壁の孔に、これらが重なった状態において逆さにして上側から嵌挿し、更に中心部に後記枠側保持軸と拡圧コイルばねを収容すると共に上端部を前記収納ケースに固定した筒状体と、前記筒状体内に摺動自在に収容し、上端側に膨大部を形成すると共に、下端部に摘みを固定し、該膨大部と筒状体との間に縮設した拡圧コイルばねをもって常時上方への移動性向を附与した枠側保持軸とからなり、
更に、前記上側蝶番における枠側保持軸の下方への移動規制手段を備え、且つ上側蝶番における枠側保持軸の下方への移動規制手段が、前後スライダの前部に雌ねじを設けると共に、該雌ねじに螺合する規制ねじの先端を、前記筒状体の側部に設けたねじ挿通孔を通して枠側保持軸の周面に強圧接することによって行う手段であることを特徴とする蝶番付き扉ユニット。
【請求項２】
取付枠に対して開閉可能に取り付ける扉の下部に下側蝶番を取り付ける一方、該扉の上部に上側蝶番を取り付ける蝶番付き扉ユニットであって、
前記下側蝶番は、
取付枠に固定する枠側ヒンジプレートと、前記枠側ヒンジプレートに垂直に取り付けた枠側保持軸と、扉に固定する扉側ヒンジプレートと、前記扉側ヒンジプレートの上面に固定した収納ケースと、前記収納ケースに収納し、扉の幅方向に長い長方形の孔を貫設すると共に、扉の幅方向への突出片に設けた雌ねじに螺合する前後調整ねじをもって扉の厚さ方向に移動せしめる前後スライダと、前記収納ケースに収納し、扉の厚さ方向に長い長方形の孔を貫設すると共に、側部に設けた雌ねじに螺合する左右調整ねじをもって扉の幅方向に移動せしめる左右スライダと、前記枠側保持軸に被せると共に、前記扉側ヒンジプレートの孔及び前後スライダの孔、左右スライダの孔、収納ケースの頂壁の孔に、これらが重なった状態において下側から嵌挿し、更に中心部に雌ねじを設けると共に、上端部を前記収納ケースに固定した筒状体と、前記筒状体の雌ねじに螺合した上下調整用のピボット軸受とからなり、
一方、前記上側蝶番は、
取付枠に固定する枠側ヒンジプレートと、扉に固定する扉側ヒンジプレートと、前記扉側ヒンジプレートの下面に逆さにして固定した収納ケースと、前記収納ケースに収納し、扉の幅方向に長い長方形の孔を貫設すると共に、扉の幅方向への突出片に設けた雌ねじに螺合する前後調整ねじをもって扉の厚さ方向に移動せしめる前後スライダと、前記収納ケースに収納し、扉の厚さ方向に長い長方形の孔を貫設すると共に、側部に設けた雌ねじに螺合する左右調整ねじをもって扉の幅方向に移動せしめる左右スライダと、前記扉側ヒンジプレートの孔及び前後スライダの孔、左右スライダの孔、収納ケースの頂壁の孔に、これらが重なった状態において逆さにして上側から嵌挿し、更に中心部に後記枠側保持軸と拡圧コイルばねを収容すると共に上端部を前記収納ケースに固定した筒状体と、前記筒状体内に摺動自在に収容し、上端側に膨大部を形成すると共に、下端部に摘みを固定し、該膨大部と筒状体との間に縮設した拡圧コイルばねをもって常時上方への移動性向を附与した枠側保持軸とからなり、
更に、前記上側蝶番における枠側保持軸の下方への移動規制手段を備え、且つ該上側蝶番における枠側保持軸の下方への移動規制手段が、基板部に軸方向に沿った長孔を穿設すると共に該基板部の下端に直角に圧接部を連成してなるＬ字形の規制板を、前記長孔に嵌挿したねじをもって収納ケースの側部に取り付け、該Ｌ字形の規制板の圧接部を枠側保持軸の下端面に圧接することによって行う手段であることを特徴とする蝶番付き扉ユニット。
【発明の詳細な説明】
【技術分野】
【０００１】
本発明は、蝶番付き扉ユニットに関するものである。
【背景技術】
【０００２】
部屋の出入口に取り付ける扉を蝶番をもって取付枠に取り付けるにあたっては、扉の開閉がスムーズになるように、扉と取付枠との隙間を適宜に調整しながら行わなければならない。
【０００３】
また、この扉と取付枠との隙間は、扉の厚さ方向（取付枠の内外方向）、扉の幅方向（取付枠の左右方向）、扉の高さ方向（取付枠の上下方向）の、互いに直交する三方向において調整しなければならない。
【０００４】
そして、斯かる扉と取付枠との互いに直交する三方向の隙間の調整にあたって、夫々独立して、且つ扉を閉じた状態でその内側又は外側で一括して行うことができる蝶番付き扉ユニットが既に案出されている（特開２００７−２３１５２１：特許文献１）。
【０００５】
図３乃至図８には該蝶番付き扉ユニットを示しており、図において１００は該蝶番付き扉ユニットである。また、１０１は取付枠、１０２は扉である。
【０００６】
１０３は下側蝶番である。また、該下側蝶番１０３は、取付枠１０１に固定する固定片１０４ａと、該固定片１０４ａの下部に直角に連成し、枠側保持軸１０５を固定孔１０４ｂに垂直に固定した保持片１０４ｃとからなる枠側ヒンジプレート１０４と、扉１０２に固定する固定片１０６ａと、該固定片１０６ａから扉１０２の厚さ方向に突出し、四角形の孔１０７を貫設すると共に、正面と下面を開口し、頂壁に四角形の孔１０９を貫設した収納ケース１０８を上面に固定した支持片１０６ｂとからなる扉側ヒンジプレート１０６と、前記収納ケース１０８を被覆するカバーケース１１０と、前記収納ケース１０８に収納し、扉１０２の幅方向に長い長方形の孔１１２を貫設すると共に扉１０２の幅方向への突出片１１１ａに雌ねじ１１３を設けた前後スライダ１１１と、前記収納ケース１０８の側壁に設けた切欠部１０８ａから突出せしめた前記前後スライダ１１１の突出片１１１ａの雌ねじ１１３と、該突出片１１１ａを挟む状態において所定の間隔を存して収納ケース１０８の側部に対立設した支承板１１４、１１４のねじ挿通孔１１５、１１５とにわたって貫挿し、雌ねじ１１３に螺合せしめた前後調整ねじ１１６と、前記収納ケース１０８に収納し、扉１０２の厚さ方向に長い長方形の孔１１８を貫設すると共に側部に雌ねじ１１９を設けた左右スライダ１１７と、前記収納ケース１０８の側壁に穿設したねじ挿通孔１２０、１２０と前記左右スライダ１１７の雌ねじ１１９とにわたって貫挿し、雌ねじ１１９に螺合せしめた左右調整ねじ１２１と、前記枠側保持軸１０５に被せると共に、前記扉側ヒンジプレート１０６の孔１０７及び前後スライダ１１１の孔１１２、左右スライダ１１７の孔１１８、収納ケース１０８の頂壁の孔１０９に、これらが重なった状態において下側から嵌挿し、更に中心部に雌ねじ１２３を設けると共に上端部を収納ケース１０８に固定した、上端部１２２ａのみを円形とし、本体部１２２ｂを四角形となした筒状体１２２と、前記筒状体１２２の雌ねじ１２３に螺合した上下調整用のピボット軸受１２４とからなるものである。尚、１２５は収納ケース１０８の頂壁の上面に位置させた四角孔付き座金、１２６は座金であり、これらを介装した状態において前記筒状体１２２の上端部を皿状にかしめて収納ケース１０８に固定するものである。
【０００７】
１２７は上側蝶番である。また、該上側蝶番１２７は、取付枠１０１に固定する固定片１２８ａと、該固定片１２８ａの上部に直角に連成し、キャップ状の受止部材１２９を固定孔１２８ｂに嵌着した保持片１２８ｃとからなる枠側ヒンジプレート１２８と、扉１０２に固定する固定片１３０ａと、該固定片１３０ａから扉１０２の厚さ方向に突出し、四角形の孔１３０Ａを貫設すると共に、正面と下面を開口し、頂壁に四角形の孔１３３を貫設した収納ケース１３２を逆さにして下面に固定した支持片１３０ｂとからなる扉側ヒンジプレート１３０と、前記収納ケース１３２を被覆するカバーケース１３１と、前記収納ケース１３２に収納し、扉１０２の幅方向に長い長方形の孔１３５を貫設すると共に扉１０２の幅方向への突出片１３４ａに雌ねじ１３６を設けた前後スライダ１３４と、前記収納ケース１３２の側壁に設けた切欠部１３２ａから突出せしめた前記前後スライダ１３４の突出片１３４ａの雌ねじ１３６と、該突出片１３４ａを挟む状態において所定の間隔を存して収納ケース１３４の側部に対立設した支承板１３７、１３７のねじ挿通孔１３８、１３８とにわたって貫挿し、雌ねじ１３６に螺合せしめた前後調整ねじ１３９と、前記収納ケース１３２に収納し、扉１０２の厚さ方向に長い長方形の孔１４１を貫設すると共に側部に雌ねじ１４２を設けた左右スライダ１４０と、前記収納ケース１３２の側壁に穿設したねじ挿通孔１４３、１４３と前記左右スライダ１４０の雌ねじ１４２とにわたって貫挿し、雌ねじ１４２に螺合せしめた左右調整ねじ１４４と、前記扉側ヒンジプレート１３０の孔１３０Ａ及び前後スライダ１３４の孔１３５、左右スライダ１４０の孔１４１、収納ケース１３２の頂壁の孔１３３に、これらが重なった状態において逆さにして上側から嵌挿し、更に中心部に後記枠側保持軸と拡圧コイルばねを収容すると共に上端部を収納ケース１３２に固定した、上端部１４５ａのみを円形とし、本体部１４５ｂを四角形となした筒状体１４５と、前記筒状体１４５内に摺動自在に収容し、上端側に膨大部１４６ａを形成すると共に、下端部に固定ねじ１４７をもって摘み１４８を固定し、該膨大部１４６ａと筒状体１４５との間に縮設した拡圧コイルばね１４９をもって常時上方への移動性向を附与した枠側保持軸１４６とからなるものである。尚、１５０は収納ケース１３２の頂壁の上面に位置させた四角孔付き座金、１５１は座金である。
【０００８】
而して、扉１０２と取付枠１０１との隙間の調整にあたって、扉１０２の厚さ方向への移動は、ボールねじの作用をなす前後調整ねじ１１６、１３９の回転によって行い、また扉１０２の幅方向への移動はボールねじの作用をなす左右調整ねじ１２１、１４４の回転によって行い、また扉１０２の上下方向への移動は、ピボット軸受１２４のねじ回しによって夫々行うものである。
【０００９】
上記蝶番付き扉ユニット１００においては、扉１０２と取付枠１０１との互いに直交する三方向の隙間の調整にあたって、夫々独立して、且つ扉を閉じた状態でその内側又は外側で一括して行うことができるという利点がある。
【００１０】
しかし、該蝶番付き扉ユニット１００には、その反面において、扉１０２の開閉を勢いよく且つ頻繁に繰り返すと、上側蝶番１２７における枠側保持軸１４６が下方にずれ、その上端がキャップ状の受止部材１２７から外れ、もって扉１０２が取付枠１０１から外れてしまうという問題点がある。これは特に枠側保持軸１４６を上方に押し付ける拡圧コイルばね１４９がへたってくると頻発する。
【先行技術文献】
【特許文献】
【００１１】
【特許文献１】特開２００７−２３１５２１号公報
【発明の概要】
【発明が解決しようとする課題】
【００１２】
本発明は上記の点に鑑みなされたものであって、上側蝶番における枠側保持軸の下方への移動を規制し、扉の開閉を勢いよく且つ頻繁に繰り返したとしても、該枠側保持軸のキャップ状の受止部材からの抜け出しを確実に抑止することができるようになした蝶番付き扉ユニットを提供しようとするものである。
【課題を解決するための手段】
【００１３】
而して、本発明の要旨とするところは、取付枠に対して開閉可能に取り付ける扉の下部に下側蝶番を取り付ける一方、該扉の上部に上側蝶番を取り付ける蝶番付き扉ユニットであって、
前記下側蝶番は、
取付枠に固定する枠側ヒンジプレートと、前記枠側ヒンジプレートに垂直に取り付けた枠側固定軸と、扉に固定する扉側ヒンジプレートと、前記扉側ヒンジプレートの上面に固定した収納ケースと、前記収納ケースに収納し、扉の幅方向に長い長方形の孔を貫設すると共に、扉の幅方向への突出片に設けた雌ねじに螺合する前後調整ねじをもって扉の厚さ方向に移動せしめる前後スライダと、前記収納ケースに収納し、扉の厚さ方向に長い長方形の孔を貫設すると共に、側部に設けた雌ねじに螺合する左右調整ねじをもって扉の幅方向に移動せしめる左右スライダと、前記枠側固定軸に被せると共に、前記扉側ヒンジプレートの孔及び前後スライダの孔、左右スライダの孔、収納ケースの頂壁の孔に、これらが重なった状態において下側から嵌挿し、更に中心部に雌ねじを設けると共に、上端部を前記収納ケースに固定した筒状体と、前記筒状体の雌ねじに螺合した上下調整用のピボット軸受とからなり、
一方、前記上側蝶番は、
取付枠に固定する枠側ヒンジプレートと、扉に固定する扉側ヒンジプレートと、前記扉側ヒンジプレートの下面に逆さにして固定した収納ケースと、前記収納ケースに収納し、扉の幅方向に長い長方形の孔を貫設すると共に、扉の幅方向への突出片に設けた雌ねじに螺合する前後調整ねじをもって扉の厚さ方向に移動せしめる前後スライダと、前記収納ケースに収納し、扉の厚さ方向に長い長方形の孔を貫設すると共に、側部に設けた雌ねじに螺合する左右調整ねじをもって扉の幅方向に移動せしめる左右スライダと、前記扉側ヒンジプレートの孔及び前後スライダの孔、左右スライダの孔、収納ケースの頂壁の孔に、これらが重なった状態において逆さにして上側から嵌挿し、更に中心部に後記枠側保持軸と拡圧コイルばねを収容すると共に上端部を前記収納ケースに固定した筒状体と、前記筒状体内に摺動自在に収容し、上端側に膨大部を形成すると共に、下端部に摘みを固定し、該膨大部と筒状体との間に縮設した拡圧コイルばねをもって常時上方への移動性向を附与した枠側保持軸とからなり、
更に、前記上側蝶番における枠側保持軸の下方への移動規制手段を備えたことを特徴とする蝶番付き扉ユニットにある。
【００１４】
また、上記構成における上側蝶番における枠側保持軸の下方への移動規制手段の第１の具体例として、前記前後スライダの前部に雌ねじを設けると共に、該雌ねじに螺合する規制ねじの先端を、前記筒状体の側部に設けたねじ挿通孔を通して枠側保持軸の周面に強圧接することによって行う手段を挙げることができる。
【００１５】
また、上記構成における上側蝶番における枠側保持軸の下方への移動規制手段の第２の具体例として、基板部に軸方向に沿った長孔を穿設すると共に該基板部の下端に直角に圧接部を連成してなるＬ字形の規制板を、前記長孔に嵌挿したねじをもって収納ケースの側部に取り付け、該Ｌ字形の規制板の圧接部を枠側保持軸の下端面に圧接することによって行う手段を挙げることができる。
【発明の効果】
【００１６】
本発明は上記の如き構成であるから、上側蝶番における枠側保持軸の下方への移動を規制し、扉の開閉を勢いよく且つ頻繁に繰り返したとしても、該枠側保持軸のキャップ状の受止部材からの抜け出しを確実に抑止することができるものである。
【図面の簡単な説明】
【００１７】
【図１】本発明の第１実施形態に係る蝶番付き扉ユニットの要部の拡大斜視図である。
【図２】同拡大縦断面図である。
【図３】本発明の第２実施形態に係る蝶番付き扉ユニットの要部の拡大正面図である。
【図４】同側面側から看た斜視図である。
【図５】同規制状態の要部の拡大正面図である。
【図６】既に案出されている蝶番付き扉ユニットの内側から看た正面図である。
【図７】図６に示した蝶番付き扉ユニットの側面図である。
【図８】図６に示した蝶番付き扉ユニットにおける下側蝶番の分解斜視図である。
【図９】図６に示した蝶番付き扉ユニットにおける下側蝶番部分の斜視図である。
【図１０】図６に示した蝶番付き扉ユニットにおける上側蝶番の分解斜視図である。
【図１１】図６に示した蝶番付き扉ユニットにおける上側蝶番部分の斜視図である。
【発明を実施するための形態】
【００１８】
以下、本発明を実施するための形態について、図面を参照して説明する。
【００１９】
本発明の実施形態に係る蝶番付き扉ユニットは、取付枠に扉を開閉自在に取り付けるための下側蝶番及び上側蝶番の構成において、上記既に案出されている蝶番付き扉ユニットと同様である。したがって、共通部分については同一の符号を付し、ここにおいての再度の詳細な説明は省略する。
【００２０】
而して、図１及び図２に示した本発明の第１実施形態において特徴とするところは、上側蝶番１２７における枠側保持軸１４６の下方への移動規制手段１を備えたことにある。
【００２１】
また、該上側蝶番１２７における枠側保持軸１４６の下方への移動規制手段１として、本実施形態では前後スライダ１３４の前部に雌ねじ２を設けると共に、該雌ねじ２に螺合する規制ねじ３の先端を、筒状体１４５の側部に設けたねじ挿通孔４を通して枠側保持軸１４６の周面に強圧接することによって行う手段としている。
【００２２】
該移動規制手段１を備えたことにより、扉１０２の開閉を勢いよく且つ頻繁に繰り返したとしても、枠側保持軸１４６のキャップ状の受止部材１２９からの抜け出しを確実に抑止することができるものである。加えて、枠側保持軸１４６を上方に押し付けるための拡圧コイルばね１４９として、従来は弾発力の強い高価なものを使用せざるを得なかったが、本実施形態によれば弾発力の然程強くない安価なもので足りることになり、その分コストを軽減させることができるものである。
【００２３】
次に、図３乃至図５に示した本発明の第２実施形態について説明する。
【００２４】
本実施形態は、上側蝶番１２７における枠側保持軸１４６の下方への移動規制手段１として、基板部５ａに軸方向に沿った長孔６を穿設すると共に該基板部５ａの下端に直角に圧接部５ｂを連成してなるＬ字形の規制板５を、前記長孔６に嵌挿したねじ７をもって収納ケース１３２の側部に取り付け、該Ｌ字形の規制板５の圧接部５ｂを枠側保持軸１４６の下端面に圧接することによって行う手段としている。
【００２５】
而して、扉１０２を取付枠１０１に取り付ける前においては、図示しない仮止めストッパーを用いて枠側保持軸１４６の拡圧コイルばね１４９の作用に抗して引き下げた状態を保持しておくが、このときには図３に示す如く、Ｌ字形の規制板５を下げて、その圧接部５ｂをＬの距離だけ離しておく。
【００２６】
また、仮止めストッパーの着脱時には、図４に示す如く、Ｌ字形の規制板５を、その邪魔にならないようにねじ７を軸にして回し、圧接部５ｂを外にずらせておく。
【００２７】
そして、枠側保持軸１４６の下方への移動を規制するときにおいては、図５に示す如く、Ｌ字形の規制板５を上方にずらせてその圧接部５ｂを該枠側保持軸１４６の下端面に押し付け、この状態をねじ７を締め付けることによって保持するものである。
【符号の説明】
【００２８】
１  移動規制手段
２  雌ねじ
３  規制ねじ
４  ねじ挿通孔
５  Ｌ字形の規制板
６  長孔
７  ねじ
１００  蝶番付き扉ユニット
１０１  取付枠
１０２  扉
１０３  下側蝶番
１０４  枠側ヒンジプレート
１０５  枠側保持軸
１０６  扉側ヒンジプレート
１０８  収納ケース
１１０  カバーケース
１１１  前後スライダ
１１６  前後調整ねじ
１１７  左右スライダ
１２１  左右調整ねじ
１２２  筒状体
１２４  ピボット軸受
１２７  上側蝶番
１２８  枠側ヒンジプレート
１２９  キャップ状の受止部材
１３０  扉側ヒンジプレート
１３１  カバーケース
１３２  収納ケース
１３４  前後スライダ
１３９  前後調整ねじ
１４０  左右スライダ
１４４  左右調整ねじ
１４５  筒状体
１４６  枠側保持軸
１４８  摘み
１４９  拡圧コイルばね
【図１】
0005371899.tif 000002
【図２】
0005371899.tif 000003
【図３】
0005371899.tif 000004
【図４】
0005371899.tif 000005
【図５】
0005371899.tif 000006
【図６】
0005371899.tif 000007
【図７】
0005371899.tif 000008
【図８】
0005371899.tif 000009
【図９】
0005371899.tif 000010
【図１０】
0005371899.tif 000011
【図１１】
0005371899.tif 000012